(57)【要約】
【課題】構造が簡単で且つ軽量で、取付けや移動が容易であり、溶接部分の下方に位置させて、溶接や溶断の火花や火玉が滑り落ちて捕集金属缶に捕集されて周囲への飛散を防止し、特に天井や壁際での作業に好適で耐久性に優れた高所溶接作業用火花防止具を提供するものである。
【解決手段】上方に拡大したラッパ状の防炎シート２の上部開口部３と下部開口部４にそれぞれ金属リング５、６を取付け、この下部開口部４に、溶接火花の捕集金属缶７を取付けると共に、前記上部開口部５の上部金属リング５に取付けたれに取付けた補強ステー８に吊り下げフック１０を取付けて、この吊り下げフック１０を溶接部の上方の係止部分に吊下げて、ラッパ状の防炎シート２を溶接部の下方に保持させるようにしたものである。
【選択図】  図１
0003100822.tif 000002
【実用新案登録請求の範囲】
【請求項１】
上方に拡大したラッパ状の防炎シートの上部開口部と下部開口部にそれぞれ金属リングを取付け、この下部開口部に、溶接火花の捕集金属缶を取付けると共に、前記上部開口部に取付けた上部金属リング、またはこれに取付けた補強ステーに吊下げ具を取付けて、この吊下げ具を溶接部の上方の係止部分に吊下げるか、または作業者の首に吊下げて、前記ラッパ状の防炎シートを溶接部の下方に保持させるようにしたことを特徴とする高所溶接作業用火花防止具。
【請求項２】
ラッパ状の防炎シートの下部開口部に取付けた金属リングに、溶接火花の捕集金属缶を着脱自在に取付けたことを特徴とする請求項１記載の高所溶接作業用火花防止具。
【請求項３】
ラッパ状の防炎シートの上部開口部に取付けた上部金属リングを可撓性の金属リングで形成したことを特徴とする請求項１または２記載の高所溶接作業用火花防止具。
【考案の詳細な説明】
【技術分野】
【０００１】
本考案は、高所で溶接作業を行なう場合に溶接火花の落下を防止する器具に関するものである。
【背景技術】
【０００２】
一般にビルなどの建築物を構築する場合、鉄骨を溶接する作業を伴うが、高所での溶接作業の場合、その火花が現場周囲に飛散する。火花が飛散して落下すると、下で作業している人が火花を頭から被って、露出している手や、襟口から背中の中に入って火傷することがある。また溶接現場の周辺に可燃物があると火災が発生する危険があることから、高所で溶接作業をする場合には、下に防炎シート（養生シート）を敷いて、火災の発生を防止している。
【０００３】
このように溶接作業現場の周囲に防炎シートを設けるだけの対策では、特に高所での溶接作業では広範囲に火花が飛散する問題があり、広範囲に防炎シートを敷く必要がある。
【０００４】
また鉄骨柱を溶接する時には、鉄骨柱の溶接部分の周囲に、底面部と傾斜面部を石綿シートで構成し、底面部に磁石を設けた養生治具を、鉄骨柱の４側面を囲むように磁石で取付けてホッパー状に形成し、この内側で溶接を行ない、溶接火花を石綿シートで捕捉して飛散を防止する方法が提案されている（特許文献１）。
【０００５】
しかしながら、これは鉄骨柱を囲んで取り付けるもので、天井下地軽量鉄骨など格子状に鉄骨を溶接する場合や、天井レールを溶接する場合、あるいは小型の連結部材やブラケットを壁際に溶接する場合には使用できない欠点があった。
【０００６】
この点を改善したものとしては図６に示す溶接スラブ用受け具２０が開発されている。これは金属で形成された折たたみ自在の傘の骨構造をなす支杆２１の外側を囲うように、難燃性のシートで形成された六角形テーパー状のスラブ誘導本体２２を取付けて倒立傘状に形成し、スラブ誘導本体２２の下部に耐熱性スラブ受け容器２３を着脱自在に取付け、更に前記スラブ誘導本体２２のポール２４にチェーン２５を取付けその先端にマグネット２６を取付けたものが開発されている（特許文献２）。
【０００７】
この溶接スラブ用受け具２０は、溶接部の下方に吊して、飛散する火花や火玉を捕集するもので、天井などの溶接には好適である。しかしながらこの溶接スラブ用受け具２０は、スラブ誘導本体２２や耐熱性スラブ受け容器２３を支持するために、傘の骨構造の支杆２１が強度の高い構造が必要となり、全体の重量が重くなって、高所に持ち上げて作業する上で不便である。
【０００８】
また支杆２１が傘の骨構造のように六角形テーパー状のスラブ誘導本体２２の内側にあるため、火玉が支杆２１とこの外側に張り付けたシート状のスラブ誘導本体２２との間に詰まって落下せず支杆２１を焼損する問題があり、更に支杆２１が開閉構造となっているため構造が複雑で破損し易く耐久性に劣る欠点がある。
【特許文献１】特開２０００−２９１８８３
【特許文献２】実公平６−２３５
【考案の開示】
【考案が解決しようとする課題】
【０００９】
本考案は上記問題を改善し、構造が簡単で且つ軽量で、取付けや移動が容易であり、溶接部分の下方に位置させて、溶接や溶断の火花や火玉が滑り落ちて捕集金属缶に捕集されて周囲への飛散を防止し、特に天井や壁際での作業に好適で耐久性に優れた高所溶接作業用火花防止具を提供するものである。
【課題を解決するための手段】
【００１０】
本考案の請求項１記載の高所溶接作業用火花防止具は、上方に拡大したラッパ状の防炎シートの上部開口部と下部開口部にそれぞれ金属リングを取付け、この下部開口部に、溶接火花の捕集金属缶を取付けると共に、前記上部開口部に取付けた金属リング、またはこれに取付けた補強ステーに吊下げ具を取付けて、この吊下げ具を溶接部の上方の係止部分に吊下げるか、または作業者の首に吊下げて、前記ラッパ状の防炎シートを溶接部の下方に保持させるようにしたことを特徴とするものである。
【００１１】
本考案の請求項２記載の高所溶接作業用火花防止具は、ラッパ状の防炎シートの下部開口部に取付けた金属リングに、溶接火花の捕集金属缶を着脱自在に取付けたことを特徴とするものである。
【００１２】
本考案の請求項３記載の高所溶接作業用火花防止具は、ラッパ状の防炎シートの上部開口部の周縁の一部を、上部金属リングに着脱自在にに取付けたことを特徴とするものである。
【考案の効果】
【００１３】
本考案に係る請求項１記載の高所溶接作業用火花防止具によれば、高所の溶接場所に吊り下げるか、作業者の首に掛けて、溶接部の下方にラッパ状の防炎シートを支持させて溶接や溶断作業を行なうと、特に火災や火傷の原因となる火玉は大部分が上部開口部の内側に落下し、ラッパ状に形成された防炎シートに沿って中央に向かって滑り落ち、最後に捕集金属缶内に落下して捕集することができる。
【００１４】
また雨傘程度の大きさで、複雑な傘の骨構造をなす金属製の支杆がなく、防炎シートを支持しているのは上下の金属リングと補強ステーだけであるので、構造が簡単で軽量で且つ安価に製造することができる。しかも耐久性に優れ、高所での取付けも簡単に行なうことができると共に、使用後はシートを提灯状に上下に縮めて小型化でき運搬や保管も容易である。また構造が簡単なことから安価に製造することができると共に、複雑な傘の骨構造がないので耐久性にも優れているなど種々の効果を有するものである。
【００１５】
また請求項２記載の高所溶接作業用火花防止具によれば、ラッパ状の防炎シートの下部開口部に取付けた下部金属リングに、溶接火花の捕集金属缶を着脱自在に取付けたので、後始末が容易である。
【００１６】
また請求項３記載の高所溶接作業用火花防止具によれば、ラッパ状の防炎シートの上部開口部に取付けた上部金属リングを可撓性の金属リングで形成したので、壁際やコーナ−の形状に合わせてラッパ状の防炎シートを変形させることにより、壁との隙間をなくして溶接することができる。
【考案を実施するための最良の形態】
【００１７】
溶接部分の下方に位置させて、溶接火花や溶断火花を捕集して下方への落下を防止し、天井や壁際での作業に好適な高所溶接作業用火花防止具を実現した。
【実施例１】
【００１８】
以下本考案の実施例を図１ないし図３を参照して詳細に説明する。図において１は高所溶接作業用火花防止具を示すもので、これは上方に拡大したラッパ状の防炎シート（不燃シート）２の上部開口部３と下部開口部４にそれぞれ金属リング５、６を取付け、この下部開口部４の金属リング６に、捕集金属缶７が着脱自在に取付けられている。ラッパ状の防炎シート２は、例えば上部開口部３の直径が約６５０mm、高さが３００mm程度の切頭円錐状に形成されている。
【００１９】
防炎シート２の上部に取付けた上部金属リング５の内側には、その中心を通る補強ステー８が接続され、この中間に吊り下げフック１０が回動自在に取付けられている。また捕集金属缶７は図２に示すように、その上部側面にレバー式の止め金具１１が取付けられている。また、この反対側の捕集金属缶７の上部周縁にはフック１２が取付けられている。更に捕集金属缶７の上部内周にはリング状のストッパー１３が取付けられている。
【００２０】
上記構成の高所溶接作業用火花防止具１を使用して、例えば天井に移動式のパネルが吊り下がって走行するレールを溶接する場合について説明する。先ず捕集金属缶７の開口部にラッパ状の防炎シート２の下部開口部４を挿入してストッパー１３に当て、下部金属リング６を固定フック１２に係合させてからレバー式の止め金具１１を下部金属リング６に連結する。また捕集金属缶７には水１４を少し入れておく。
【００２１】
このように組立てた高所溶接作業用火花防止具１を手に持って高所の溶接場所まで運び、天井下地軽量鉄骨などに、吊り下げフック１０を引っ掛けて、溶接部の下方の３０〜５０cmの位置にラッパ状の防炎シート２を支持させる。
【００２２】
この状態で溶接作業を行なうと、火花が飛散し、特に溶けた火の玉は重いためそのまま落下する。細かい火花はラッパ状の防炎シート２の上部開口部３から外れて外側に飛散することもあるが、落下する途中で冷えて火災の原因となることは少ない。
【００２３】
溶けた火玉や大きな火花は大部分が上部開口部３の内側に落下し、ラッパ状に形成された防炎シート２に沿って中央に向かって滑り落ち、捕集金属缶７内に落下して、ここで水１４により冷やされる。また溶接棒の端材などのこの捕集金属缶７内に捨てることができる。
【００２４】
従って火災や火傷の原因となる溶けた火玉や大きな火花は、大部分が高所溶接作業用火花防止具１に捕集されるので高所で安全に溶接作業を行なうことができる。また高所溶接作業用火花防止具１は、雨傘程度の大きさで軽量であるので、持ち運びが容易で、高所での取付けも簡単に行なうことができる。
【００２５】
また作業が終わって、床に下りてきてから、捕集金属缶７に捕集された鉄粉などは、レバー式の止め金具１１を解除して、固定フック１２から外すと、捕集金属缶７をラッパ状の防炎シート２から取外すことができるので、後始末も容易である。また使用後は、ラッパ状の防炎シート２を提灯状に上下に縮められるので小型化でき運搬や保管も容易である。
【実施例２】
【００２６】
図４は本考案の他の実施例を示すもので、上部金属リング５を可撓性のある材料で形成することにより、自由に変形させることができる。例えば上部金属リング５の半円部分を逆Ｖ形に折曲することにより高所溶接作業用火花防止具１を天井の壁際に隙間なく取付けることができ、壁際で溶接する場合に火花の落下を防止することができる。また上部金属リング５の半円部分をＬ型に折曲することによりコーナ−部での溶接も行なうことがきる。
【実施例３】
【００２７】
図５は本考案の他の実施例を示すもので、上部金属リング５と補強ステー８との接続部分に釣り紐１５を取付けたものである。これは釣り紐１５を作業者の首に掛けて高所溶接作業用火花防止具１を支持するようにしたもので、作業者と一体となって移動できるので、極めて作業性に優れている。
【産業上の利用可能性】
【００２８】
なお上記説明では捕集金属缶７をラッパ状の防炎シート２に着脱自在に取付けた場合について示したが一体の構造でも良い。またラッパ状の防炎シート２は切頭円錐状に限らず、六角形や八角形など多角形状でも良い。また上記説明では溶接作業する場合について説明したが、火花や火玉が飛散する溶断作業や、天井ボードを切取る時の切粉の捕集、あるいは高所での小型部品の取付け作業における部品の落下防止具としても広く使用することができる。
【図面の簡単な説明】
【００２９】
【図１】本考案の実施例による高所溶接作業用火花防止具の斜視図である。
【図２】図１の高所溶接作業用火花防止具を示す断面図である。
【図３】図１の高所溶接作業用火花防止具を示す平面図である。
【図４】本考案の他の実施例による高所溶接作業用火花防止具を示す斜視図である。
【図５】本考案の異なる他の実施例による高所溶接作業用火花防止具を示す斜視図である。
【図６】従来の溶接スラブ用受け具を示す斜視図である。
【符号の説明】
【００３０】
１  高所溶接作業用火花防止具                                
２  ラッパ状の防炎シート                                    
３  上部開口部                                              
４  下部開口部                                              
５  上部金属リング                                          
６  下部金属リング                                          
７  捕集金属缶                                              
８  補強ステー                                              
１０吊り下げフック                                          
１１レバー式の止め金具                                      
１２固定フック                                              
１３ストッパー                                              
１４水                                                      
２０溶接スラブ用受け具  
２１支杆        
２２スラブ誘導本体    
２３耐熱性スラブ受け容器      
２４ポール      
２５チェーン      
２６マグネット    
【図１】
0003100822.tif 000003
【図２】
0003100822.tif 000004
【図３】
0003100822.tif 000005
【図４】
0003100822.tif 000006
【図５】
0003100822.tif 000007
【図６】
0003100822.tif 000008